(57)【特許請求の範囲】
【請求項１】
容器に装着される本体と該本体を覆う外蓋とを具備し、該本体は容器の口部を閉塞する円形閉塞壁を有し、該閉塞壁には除去領域を規定する破断可能な円形薄肉ラインが形成されていると共に該除去領域の上面には被係合手段が配設されており、該外蓋は天面壁及び該天面壁から垂下するスカート壁を有し、該天面壁の内面には該被係合手段と係合する係合手段が配設されている容器蓋において、
該本体の該閉塞壁には、該円形薄肉ラインの半径方向内方を弧状に延びる複数個の破断可能な弧状薄肉ラインが周方向に間隔をおいて形成されていると共に、該本体に対する該外蓋の開回転方向に見て該弧状薄肉ラインの上流端を該円形薄肉ラインに接続する接続薄肉ラインが形成されており、
該被係合手段は、該接続薄肉ラインの各々に隣接して且つ該開回転方向に見て該接続薄肉ラインの各々の下流側に位置する部位から上方に延びる複数個の被係合片から構成されており、
該係合手段は、該被係合片の各々に対応して配設された複数個の係合片から構成されており、
該外蓋の該天面壁の内面には円筒形垂下壁が配設されており、該係合片の各々は周方向に間隔をおいて該垂下壁の内周面から該開回転方向に向かって半径方向内方に突出し、
該被係合片の各々は該係合片の各々が当接せしめられる主部を超えて上方に突出する突出部を有し、該突出部には被係止手段が形成されており、該垂下壁の内周面には該被係止手段と協働して該外蓋に対して該被係合片が下方に変位するのを阻止する係止手段が形成されており、
該被係止手段の各々は該被係合片の各々の半径方向外側面から半径方向外方に突出する被係止突条から構成されており、該係止手段の各々は該垂下壁の内周面から半径方向内方に突出する係止突条から構成されており、該外蓋の該天面壁には該垂下壁の内側に同心円状に配設された円筒形補助垂下壁が配設されており、該被係合片の該突出部は該垂下壁と該補助垂下壁との間に進入し、該補助垂下壁によって該被係合片の該突出部が半径方向内方に変位することが阻止される、
ことを特徴とする容器蓋。
【請求項２】
容器に装着される本体と該本体を覆う外蓋とを具備し、該本体は容器の口部を閉塞する円形閉塞壁を有し、該閉塞壁には除去領域を規定する破断可能な円形薄肉ラインが形成されていると共に該除去領域の上面には被係合手段が配設されており、該外蓋は天面壁及び該天面壁から垂下するスカート壁を有し、該天面壁の内面には該被係合手段と係合する係合手段が配設されている容器蓋において、
該本体の該閉塞壁には、該円形薄肉ラインの半径方向内方を弧状に延びる複数個の破断可能な弧状薄肉ラインが周方向に間隔をおいて形成されていると共に、該本体に対する該外蓋の開回転方向に見て該弧状薄肉ラインの上流端を該円形薄肉ラインに接続する接続薄肉ラインが形成されており、
該被係合手段は、該接続薄肉ラインの各々に隣接して且つ該開回転方向に見て該接続薄肉ラインの各々の下流側に位置する部位から上方に延びる複数個の被係合片から構成されており、
該係合手段は、該被係合片の各々に対応して配設された複数個の係合片から構成されており、
該被係合片の各々の、該係合片が当接される当接面は上方に向かって該開回転方向上流側に傾斜せしめられており、該係合片が該被係合片の該当接面に当接して該開回転方向に力を加えると、該被係合片が上方に向かって該開回転方向下流側に傾動せしめられる、
ことを特徴とする容器蓋。
【請求項３】
該本体は該閉塞壁の外周縁に接続された円筒形装着壁を有し、該装着壁の外周面には雄螺条が形成されており、該外蓋の該スカート壁には該雄螺条と協働する雌螺条が形成されている、請求項１又は２記載の容器蓋。
【請求項４】
該閉塞壁には該開回転方向に見て該弧状薄肉ラインの下流端に続く厚肉部が存在する、請求項１から３までのいずれかに記載の容器蓋。
【請求項５】
該弧状薄肉ラインは周方向に等間隔をおいて配設され、該弧状薄肉ラインの各々は同一形態である、請求項１から４までのいずれかに記載の容器蓋。
【発明の詳細な説明】
【技術分野】
【０００１】
本発明は、容器に装着される本体とこの本体を覆う外蓋とを具備し、容器の口部を閉塞する本体の閉塞壁には除去領域を規定する円形薄肉ラインが形成されている形態の容器蓋に関する。
【背景技術】
【０００２】
液体飲料或いは醤油、食用油及びドレッシングの如き液体調味料のための容器蓋として、下記特許文献１には、容器に装着される本体とこの本体を覆う外蓋とを具備する容器蓋が開示されている。本体は容器の口部を閉塞する円形閉塞壁を有し、閉塞壁には除去領域を規定する円形薄肉ラインが形成されていると共に除去領域から上方に突出する被係合手段が配設されている。外蓋は天面壁とこの天面壁から垂下するスカート壁を有し、天面壁の内面には被係合手段と協働する係合手段が配設されている。
【０００３】
上記のとおりの容器蓋においては、本体に対して外蓋を開回転方向に回転せしめると、係合手段が被係合手段に係合して被係合手段に開回転方向の力を加え、これによって円形薄肉ラインが破断され除去領域が閉塞壁から分離される。
【先行技術文献】
【特許文献】
【０００４】
【特許文献１】特開２００８−３０８２１８号公報
【発明の概要】
【発明が解決しようとする課題】
【０００５】
而して、上述したとおりの形態の容器蓋においては、円形薄肉ラインの破断はその全体が同時に遂行され、それ故に円形薄肉ラインの破断に必要なトルクが過大になってしまう傾向がある。
【０００６】
本発明は上記事実に鑑みてなされたものであり、その主たる技術的課題は、上述した従来の容器蓋に比べて、円形薄肉ラインの破断に必要なトルクが充分に低減される、新規且つ改良された容器蓋を提供することである。
【課題を解決するための手段】
【０００７】
本発明者等は、鋭意検討の結果、本体の閉塞壁に、円形薄肉ラインに加えて、円形薄肉ラインの半径方向内方を弧状に延びる複数個の破断可能な弧状薄肉ラインを周方向に間隔をおいて形成すると共に、本体に対する外蓋の開回転方向に見て弧状薄肉ラインの上流端を円形薄肉ラインに接続する接続薄肉ラインを形成し、円形薄肉ラインの破断を接続薄肉ラインが接続されている複数の部位から開始して開回転方向に漸次進行せしめるように構成し、そして更に本体に配設する被係合手段と外蓋に配設する係合手段とを独特な形態にすることによって、上記主たる技術的課題を達成することができることを見出した。
【０００８】
即ち、本発明の第一の局面によれば、上記主たる技術的課題を達する容器蓋として、容器に装着される本体と該本体を覆う外蓋とを具備し、該本体は容器の口部を閉塞する円形閉塞壁を有し、該閉塞壁には除去領域を規定する破断可能な円形薄肉ラインが形成されていると共に該除去領域の上面には被係合手段が配設されており、該外蓋は天面壁及び該天面壁から垂下するスカート壁を有し、該天面壁の内面には該被係合手段と係合する係合手段が配設されている容器蓋において、
該本体の該閉塞壁には、該円形薄肉ラインの半径方向内方を弧状に延びる複数個の破断可能な弧状薄肉ラインが周方向に間隔をおいて形成されていると共に、該本体に対する該外蓋の開回転方向に見て該弧状薄肉ラインの上流端を該円形薄肉ラインに接続する接続薄肉ラインが形成されており、
該被係合手段は、該接続薄肉ラインの各々に隣接して且つ該開回転方向に見て該接続薄肉ラインの各々の下流側に位置する部位から上方に延びる複数個の被係合片から構成されており、
該係合手段は、該被係合片の各々に対応して配設された複数個の係合片から構成されており、
該外蓋の該天面壁の内面には円筒形垂下壁が配設されており、該係合片の各々は周方向に間隔をおいて該垂下壁の内周面から該開回転方向に向かって半径方向内方に突出し、
該被係合片の各々は該係合片の各々が当接せしめられる主部を超えて上方に突出する突出部を有し、該突出部には被係止手段が形成されており、該垂下壁の内周面には該被係止手段と協働して該外蓋に対して該被係合片が下方に変位するのを阻止する係止手段が形成されており、
該被係止手段の各々は該被係合片の各々の半径方向外側面から半径方向外方に突出する被係止突条から構成されており、該係止手段の各々は該垂下壁の内周面から半径方向内方に突出する係止突条から構成されており、該外蓋の該天面壁には該垂下壁の内側に同心円状に配設された円筒形補助垂下壁が配設されており、該被係合片の該突出部は該垂下壁と該補助垂下壁との間に進入し、該補助垂下壁によって該被係合片の該突出部が半径方向内方に変位することが阻止される、
ことを特徴とする容器蓋が提供される。
また、本発明の第二の局面によれば、上記主たる技術的課題を達する容器蓋として、容器に装着される本体と該本体を覆う外蓋とを具備し、該本体は容器の口部を閉塞する円形閉塞壁を有し、該閉塞壁には除去領域を規定する破断可能な円形薄肉ラインが形成されていると共に該除去領域の上面には被係合手段が配設されており、該外蓋は天面壁及び該天面壁から垂下するスカート壁を有し、該天面壁の内面には該被係合手段と係合する係合手段が配設されている容器蓋において、
該本体の該閉塞壁には、該円形薄肉ラインの半径方向内方を弧状に延びる複数個の破断可能な弧状薄肉ラインが周方向に間隔をおいて形成されていると共に、該本体に対する該外蓋の開回転方向に見て該弧状薄肉ラインの上流端を該円形薄肉ラインに接続する接続薄肉ラインが形成されており、
該被係合手段は、該接続薄肉ラインの各々に隣接して且つ該開回転方向に見て該接続薄肉ラインの各々の下流側に位置する部位から上方に延びる複数個の被係合片から構成されており、
該係合手段は、該被係合片の各々に対応して配設された複数個の係合片から構成されており、
該被係合片の各々の、該係合片が当接される当接面は上方に向かって該開回転方向上流側に傾斜せしめられており、該係合片が該被係合片の該当接面に当接して該開回転方向に力を加えると、該被係合片が上方に向かって該開回転方向下流側に傾動せしめられる、
ことを特徴とする容器蓋が提供される。
【０００９】
該本体は該閉塞壁の外周縁に接続された円筒形装着壁を有し、該装着壁の外周面には雄螺条が形成されており、該外蓋の該スカート壁には該雄螺条と協働する雌螺条が形成されているのが好都合である。該閉塞壁には該開回転方向に見て該弧状薄肉ラインの下流端に続く厚肉部が存在するのが好適である。該弧状薄肉ラインは周方向に等間隔をおいて配設され、該弧状薄肉ラインの各々は同一形態でよい。
【発明の効果】
【００１０】
本発明の容器蓋においては、本体に対して外蓋を開回転方向に回転せしめると、係合手段の各々が被係合手段の各々に当接して被係合手段の各々に開回転方向の力を加え、これによって円形薄肉ラインの破断が接続薄肉ラインが接続されている複数の部位から開始され、弧状薄肉ラインと共に円形薄肉ラインの破断が開回転方向に漸次進行せしめられる。従って、円形薄肉ラインの全体を同時に破断しなければならない上述した従来の容器蓋に比べ、円形薄肉ラインを破断するのに必要なトルクを充分に低減することができる。
【図面の簡単な説明】
【００１１】
【図１】本発明に従って構成された容器蓋の好適実施形態における本体の、一部を断面で示す正面図。
【図２】図１に示す本体の平面図。
【図３】図１に示す本体の底面図。
【図４】本発明に従って構成された容器蓋の好適実施形態における外蓋の、一部を断面で示す正面図。
【図５】図４に示す外蓋の底面図。
【図６】図１に示す本体に図４に示す外蓋を装着した状態を示す部分断面図。
【図７】図１に示す本体に図４に示す外蓋を装着した状態における主要構成要素の相対的関係を示す簡略図。
【図８】図１に示す本体の閉塞壁に形成されている円形薄肉ラインの破断開始様式を示す部分断面図。
【発明を実施するための形態】
【００１２】
以下、本発明に従って構成された容器蓋の好適実施形態を示す添付図面を参照して、更に詳細に説明する。
【００１３】
本発明に従って構成された容器蓋の好適実施形態は、図１乃至図３に図示する本体２と図４乃至図５に図示する外蓋４とから構成されている。
【００１４】
図１乃至図３を参照して説明すると、ポリエチレン又はポリプロピレンの如き適宜の合成樹脂から射出成形又は圧縮成形することができる本体２は、円形閉塞壁６と装着壁８とを有する。図示の実施形態における装着壁８は実質上鉛直に延びる円筒形状であり、その軸線方向中間部位が閉塞壁６の外周縁に接続されている。装着壁８の上端面は内容物の円滑な抽出のために断面において略半円形状にせしめられている。装着壁８の外周面における軸線方向中間部には雄螺条１０が形成されている。装着壁８の下部の外径は他の部位よりも増大せしめられていて、下部は比較的肉厚である。肉厚下部の上端部には環状係止突条１２が形成され、肉厚下部の下端部、従って装着壁８の下端部、には連結フランジ１４が形成されている。更に、図示の実施形態においては、装着壁８の内周面下部には周方向に間隔を置いて軸線方向に延びる複数個の突条１６が形成されている。
【００１５】
本体２の閉塞壁６の外周縁部には破断可能な円形薄肉ライン１８が形成されており、円板形状の除去領域２０が規定されていることが重要である。図示の実施形態においては、閉塞壁６の上面は円形薄肉ライン１８の外周縁から半径方向外方に向かって上方に傾斜する逆円錐台形状面２２を含み、閉塞壁６の下面は円形薄肉ライン１８の内周縁から半径方向内側に向かって下方に傾斜する逆円錐台形状面２４を含み、円形薄肉ライン１８は逆円錐台形状面２２と逆円錐台形状面２４との間に規定されている。図１と共に図３を参照することによって明確に理解される如く、閉塞壁６には、上記円形薄肉ライン１８の半径方向内方を弧状に延びる複数個の弧状薄肉ライン２６も形成されている。図示の実施形態においては、周方向に等間隔をおいて４個の弧状薄肉ライン２６が形成されており、４個の弧状薄肉ライン２６はすべて同一形態である。閉塞壁６には、更に、開回転方向（即ち、図１において上方から見て反時計方向、図２において反時計方向、図３において時計方向）に見て弧状薄肉ライン２６の各々の上流端を円形薄肉ライン１８に接続する接続薄肉ライン２８も形成されている。接続薄肉ライン２８の各々は半径方向に延びている。弧状薄肉ライン２６及び接続薄肉ライン２８は閉塞壁６の下面に断面が略Ｖ字状の溝（図１にその一部を図示している）を形成することによって規定されている。図１と共に図３を参照することによって理解される如く、閉塞壁６には、上記開回転方向に見て弧状薄肉ライン２６の各々の下流端に続く厚肉部３０が形成されている。厚肉部３０は平面図において略Ｕ字形状であり、閉塞壁６の下面に膨出部を付設することによって形成されている。
【００１６】
図１及び図２を参照することによって明確に理解されるとおり、閉塞壁６の除去領域２０の上面には被係合手段が配設されていることが重要である。図示の実施形態においては、接続薄肉ライン２８の各々に隣接して且つ上記開回転方向に見て接続薄肉ライン２８の各々の下流側に位置する部位から上方に延びる４個の被係合片３２が配設されており、かかる被係合片３２が被係合手段を構成している。被係合片３２の各々の主部（即ち下部）の、上記開回転方向上流端面には軸線方向に延びる溝３４が形成されており、この溝３４の底面は外蓋４に配設されている後述する係合手段が当接せしめられる当接面３６を構成する。かかる当接面３６は上方に向かって上記開回転方向上流側に５乃至１０度程度でよい傾斜角度で傾斜しているのが好適である（図８も参照されたい）。被係合片３２には主部を超えて上方に突出する突出部が形成されており、かかる突出部の上端部半径方向外側面には半径方向外方に突出する被係止突条３８が形成されている。かかる被係止突条３８は、外蓋４の後述する係止手段と協働する被係止手段を構成する。
【００１７】
図４及び図５を参照して説明を続けると、ポリプロピレン又はポリエチレンの如き適宜の合成樹脂から射出成形或いは圧縮成形することができる外蓋４は、天面壁４０とこの天面壁４０の周縁から垂下するスカート壁４２とを有する。図示の実施形態においては、天面壁４０は円形であり、スカート壁４２は円錐台筒形状の上端部と円筒形状の主部を有する。天面壁４０の内面にはスカート壁４２と同心状の円筒形垂下壁４４が配設されている。そして、この垂下壁４４の内周面下部には、本体２の上記４個の被係合片３２に対応して、係合手段を構成する４個の係合片４６が形成されている。図示の実施形態においては、係合片４６の各々は周方向に等間隔をおいて配置されており、垂下壁４４の内周面から上記開回転方向に向かって半径方向内方に突出する矩形フラップ片から構成されている。垂下壁４４の内周面には、軸線方向中間部を周方向に連続して延びる環状係止突条４８から構成された係止手段も形成されている。所望ならば、周方向に連続して延びる環状係止突条４８に代えて、周方向に等間隔をおいて形成された４個の弧状係止突条から係止手段を構成することもできる。天面壁４０の内面には、垂下壁４４の半径方向内側に同心状に配置された補助垂下壁５０も形成されている。この補助垂下壁５０は垂下壁４４に形成されている環状係止突条４８よりも幾分下方まで延びている。天面壁４０の内面には、更に、垂下壁４４の半径方向外側に同心状に配置された筒状シール片５２も形成されている。このシール片５２の垂下長さは垂下壁４４の垂下長さよりも相当短い。スカート壁４２の主部外周面には、そこに掛けられる指の滑りを防止するためのナール（凹凸の繰り返形状）５４が形成されている。一方、スカート壁４２の主部内周面には、本体２の上記雄螺条１０と協働する雌螺条５６が形成されている。
【００１８】
次に、上述したとおりの容器蓋の使用様式について説明する。図示の容器蓋においては、容器に適用する前に、本体２に外蓋４が組み合わされる。この際には、本体２の下半部、即ち閉塞壁６よりも下方の部分を冶具（図示していない）に被嵌する。それ自体は周知の形態でよい冶具には、装着壁８の内周面下部に形成されている突条１６と協働する突条が形成されており、これらの突条の協働により所定状態に固定された冶具に対して本体２が回転することが阻止される。次いで、本体２に外蓋４を被嵌して閉回転（図６において上方から見て時計方向、図７において時計方向）に回転せしめ、本体２の雄螺条１０に外蓋４の雌螺条５６を螺合せしめて、図６に図示するとおりの状態にせしめる。この際には、雄螺条１０と雌螺条５６との螺合の進行に応じて本体２に対して外蓋４が漸次下降し、図６に明確に図示するとおり、本体２の被係合片３２の各々の突出部が外蓋４の垂下壁４４と補助垂下壁５０との間に進入し、本体２の被係合片３２の突出部に形成されている被係止突条３８は外蓋４の係止突条４８を弾性的に乗り越えてその上方に位置する。また、外蓋４の係合片４６の各々は、弾性的に変形して本体２の被係合片３２を周方向に乗り越えて移動せしめられる。本体２に対して外蓋４が所要とおりに装着された状態において、外蓋４の係合片４６の各々の先端は、図７に図示する状態、即ち本体２の被係合片３２の溝３４に形成されている当接面３６に係合片４６の先端が進入した状態、よりも上記開回転方向に見て幾分下流側に位置するのが好都合である。また、本体２に対して外蓋４が所要とおりに装着された状態においては、外蓋４のシール片５２が本体２の装着壁８の上端部内に進入し、装着壁８の上端部内周面に密接せしめられる。上述した通りに組み合わされた容器蓋は、ボール紙を主層とする材料から形成された容器の口部に適用される。更に詳しくは、容器の口部を規定している壁部５８（その一部を図６に二点鎖線で図示している）が、本体２の装着壁８の下部に形成されている環状係止突条１２と連結フランジ１４との間に位置せしめられ、容器の壁部５８に本体２の連結フランジ１４が溶着の如き適宜の様式によって固定される。
【００１９】
容器内に収容されている内容物を消費する際には、外蓋４を把持して上記開回転方向に回転せしめる。外蓋４が上記開回転方向に幾分か回転せしめられると、図７に図示する如く、外蓋４の係合片４６の各々が本体２の被係合片３２の各々の当接面３６に当接、更に詳しくは係合片４６の各々が被係合片３２の各々に形成されている溝３４内に進入して溝３４の底面即ち当接面３６に当接せしめられる。しかる後に更に外蓋４を上記開回転方向に回転せしめると、図８に図示する如く、係合片４６の各々から被係合片３２の各々に上記開回転方向の力が加えられ、被係合片３２の各々の当接面３６が上方に向かって上記開回転方向上流側に傾斜した状態（図８に破線で示す状態）から実質上鉛直に延びる状態（図８に二点鎖線で示す状態）に起こされながら、接続薄肉ライン２８の各々が破断される。そして、外蓋４が更に上記開回転方向に回転せしめられると、これに応じて接続薄肉ライン２８に続いて円形薄肉ライン１８及び弧状薄肉ライン２６が上記回転方向に向けて漸次破断される。この際には、閉塞壁６における円形薄肉ライン１８と弧状薄肉ライン２６との間に位置する部分は漸次上方に変位せしめられる。係合片４６が当接面３６に当接した時点から外蓋４が９０度を超えて上記開回転方向に回転されると、円形薄肉ライン１８はその全体が破断されることになり、除去領域２０が閉塞壁６から切り離される。弧状薄肉ライン２６の各々の破断はその下流端で終了する。弧状薄肉ライン２６の下流端に続いて閉塞壁６には厚肉部３０が配設されているので、弧状薄肉ライン２６の各々の下流端に続いて望ましくない破断が進行してしまうことが確実に防止される。本発明に従って構成された容器蓋においては、本体２の円形薄肉ライン１８の破断が、その全体に渡って実質上同時に遂行されるのではなくて、周方向に間隔をおいて複数個所、図示の実施形態においては４箇所から開始され、弧状薄肉ライン２６と共に円形薄肉ライン１８の破断が開回転方向に漸次進行せしめられる故に、過剰なトルクを必要とすることなく充分円滑且つ容易に円形薄肉破断ライン１８を破断せしめることができる。
【００２０】
外蓋４を更に上記開回転方向に回転せしめると、本体２の雄螺条１０から外蓋４の雌螺条５６が完全に螺合解除され、本体２から外蓋４が離脱される。本体２の閉塞壁６から切り離された除去領域２０は、被係合片３２の突出部に形成されている被係止突条３８が外蓋４の垂下壁４４の内周面に形成されている係止突条４８に係止せしめられる故に、外蓋４に対して下方に変位することが阻止され、外蓋４と共に本体２から離脱される。本体２の被係合片３２が半径方向内方に過剰に撓むことは、被係合片３２の突出部に近接してその半径方向内方に位置する補助垂下壁５０によって阻止され、これによって被係止突条３８と係止突条４８との係止が解除されてしまうことが確実に防止される。外蓋４及び本体２の閉塞壁６の除去領域２０が本体２から離脱されると、除去領域２０の切り離しによって生成された開口を通して容器の内容物を排出することができる。容器の内容物を部分的に消費した後においては、本体２に外蓋４を被嵌し外蓋４を上記閉回転方向に回転せしめて本体２に外蓋４を再び装着し、かくして容器の口部を仮密封することができる。所望ならば、外蓋４を本体２に再装着する前に、外蓋４から除去領域２０を取り出すこともできる。
【００２１】
以上、本発明に従って構成された容器蓋の好適実施形態について添付図面を参照して詳細に説明したが、本発明はかかる好適実施形態に限定されるものではなく、本発明の技術的範囲を逸脱することなく、種々の変形乃至修正が可能であることは多言を要しない。例えば、図示の実施形態においては、本体２に外蓋４を装着しているが、容器の外周面に雄螺条が形成された円筒形状の口頸部を有する場合には、上記特許文献１に開示されている如く、外蓋のスカート壁に形成されている雌螺条を容器の口頸部に形成されている雄螺条に螺合せしめて外蓋を容器の口頸部に装着することもできる。また、図示の実施形態においては円形薄肉ラインの破断を複数個所において実質上同時に開始しているが、例えば接続薄肉ラインを周方向に等間隔をおいて配設することに代えて、接続薄肉ライン間の周方向間隔を適宜の相違せしめて、円形薄肉ラインの破断を複数個所で順次に開始せしめ、かくして円形薄肉ラインの必要初期破断トルクを低減せしめることもできる。
【符号の説明】
【００２２】
２：本体
４：外蓋
６：閉塞壁
８：装着壁
１８：円形薄肉ライン
２０：除去領域
２６：弧状薄肉ライン
２８：接続薄肉ライン
３０：厚肉部
３２：被係合片（被係合手段）
３４：溝
３６：当接面
３８：被係止突条（被係止手段）
４０：天面壁
４２：スカート壁
４４：垂下壁
４６：係合片(係合手段)
４８：係止突条（係止手段）
５０：補助垂下壁
【図１】
0005995479.tif 000002
【図２】
0005995479.tif 000003
【図３】
0005995479.tif 000004
【図４】
0005995479.tif 000005
【図５】
0005995479.tif 000006
【図６】
0005995479.tif 000007
【図７】
0005995479.tif 000008
【図８】
0005995479.tif 000009